【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
複数の発光ダイオードを備えたＬＥＤ光源部と；
ＬＥＤ光源部の発光ダイオードを点灯させるための所定の交流電圧の交流電力を供給する電源と；
電源からの電力を入力するとともに外部からの調光信号に基づいて前記発光ダイオードの光出力が電球の光出力に近似するように前記発光ダイオードを調光点灯する調光制御回路と；
を具備していることを特徴とするＬＥＤ照明装置。
【請求項２】
複数の発光ダイオードを備えたＬＥＤ光源部と；
ＬＥＤ光源部の発光ダイオードを点灯させるための調光信号に基づいて位相制御された電力を供給する電源と；
電源からの電力に基づいて前記発光ダイオードの光出力が電球の光出力に近似するように前記発光ダイオードを調光点灯する調光制御回路と；
を具備していることを特徴とするＬＥＤ照明装置。
【請求項３】
ＬＥＤ光源部の発光ダイオードを点灯させるために位相制御された電力を供給する位相制御回路と、
前記電源からの電力と前記位相制御回路からの電力とを切り替えて前記調光制御回路に電力を供給する切替手段とを設け、
前記調光制御回路は、前記位相制御回路からの電力を入力したときは前記発光ダイオードの光出力が電球の光出力に近似するように前記発光ダイオードを調光点灯し、前記電源からの電力を入力したときは別の調光信号に基づいて前記発光ダイオードの光出力が電球の光出力に近似するように前記発光ダイオードを調光点灯することを特徴とする請求項１記載のＬＥＤ照明装置。
【請求項４】
前記調光制御回路は、位相制御された電力が所定値以上となったとき、その所定値に対応する階調を始点として前記電球の光出力特性曲線に従って前記発光ダイオードを調光点灯する請求項２または３記載のＬＥＤ照明装置。
【請求項５】
前記調光制御回路は、位相制御された電力が所定値以上となったとき、その所定値を０階調としその０階調を始点として前記電球の光出力特性曲線で定まる調光比率で前記発光ダイオードを調光点灯することを特徴とする請求項２または３記載のＬＥＤ照明装置。
【請求項６】
請求項１ないし５のいずれか一記載のＬＥＤ照明装置と；
光源として電球を備えた電球照明装置と；
前記ＬＥＤ照明装置と前記電球照明装置とを同じ調光信号で調光点灯する調光操作卓と；
を具備したことを特徴とする照明システム。
【手続補正２】
【補正対象書類名】明細書
【補正対象項目名】０００６
【補正方法】変更
【補正の内容】
【０００６】
請求項１記載の発明は、複数の発光ダイオードを備えたＬＥＤ光源部と；ＬＥＤ光源部の発光ダイオードを点灯させるための所定の交流電圧の交流電力を供給する電源と；電源からの電力を入力するとともに外部からの調光信号に基づいて前記発光ダイオードの光出力が電球の光出力に近似するように前記発光ダイオードを調光点灯する調光制御回路と；を具備していることを特徴とする。
【手続補正３】
【補正対象書類名】明細書
【補正対象項目名】０００８
【補正方法】変更
【補正の内容】
【０００８】
ＬＥＤ光源部は複数の発光ダイオードから構成され、光源としての発光ダイオードは白色ＬＥＤ及び有色ＬＥＤの双方を含む。電源は、位相制御されていない通常の交流電源、例えば商用の交流電源を用いる。調光信号としては、好ましくは、調光ボリュームの操作に応じて出力される調光信号を用いるが、これに限られない。例えば、調光操作卓のフィーダや可搬形の調光卓から調光制御回路に入力される調光信号を用いてもよい。
【手続補正４】
【補正対象書類名】明細書
【補正対象項目名】００１０
【補正方法】変更
【補正の内容】
【００１０】
請求項２記載の発明は、複数の発光ダイオードを備えたＬＥＤ光源部と；ＬＥＤ光源部の発光ダイオードを点灯させるための調光信号に基づいて位相制御された電力を供給する電源と；電源からの電力に基づいて前記発光ダイオードの光出力が電球の光出力に近似するように前記発光ダイオードを調光点灯する調光制御回路と；を具備していることを特徴とする。
【手続補正５】
【補正対象書類名】明細書
【補正対象項目名】００１１
【補正方法】変更
【補正の内容】
【００１１】
電源は、調光信号に位相制御された交流電源であり、例えば、電球に対する調光信号により位相制御された電力を供給するものが好ましいが、これに限られない。また、別の調光信号とは、位相制御された電力を供給する際の調光信号とは別の調光信号であり、例えば、調光ボリュームや外部から調光制御回路に入力される調光信号である。外部から入力される調光信号とは、例えば可搬形の調光卓から入力される調光信号である。
【手続補正６】
【補正対象書類名】明細書
【補正対象項目名】００１２
【補正方法】変更
【補正の内容】
【００１２】
請求項３記載の発明は、請求項１記載のＬＥＤ照明装置において、ＬＥＤ光源部の発光ダイオードを点灯させるために位相制御された電力を供給する位相制御回路と、前記電源からの電力と前記位相制御回路からの電力とを切り替えて前記調光制御回路に電力を供給する切替手段とを設け、前記調光制御回路は、前記位相制御回路からの電力を入力したときは前記発光ダイオードの光出力が電球の光出力に近似するように前記発光ダイオードを調光点灯し、前記電源からの電力を入力したときは別の調光信号に基づいて前記発光ダイオードの光出力が電球の光出力に近似するように前記発光ダイオードを調光点灯することを特徴とする。
電源として、位相制御されていない通常の交流電源及び位相制御された交流電源の双方を含む場合には、切替手段により、位相制御されていない通常の電源と位相制御された交流電源とを切り替えて、位相制御されていない通常の電源を使用する場合には、別の調光信号で調光制御する。
【手続補正７】
【補正対象書類名】明細書
【補正対象項目名】００１３
【補正方法】変更
【補正の内容】
【００１３】
請求項４記載の発明は、請求項２または３記載のＬＥＤ照明装置において、前記調光制御回路は、位相制御された電力が所定値以上となったとき、その所定値に対応する階調を始点として前記電球の光出力特性曲線に従って前記発光ダイオードを調光点灯する。
【手続補正８】
【補正対象書類名】明細書
【補正対象項目名】００１６
【補正方法】変更
【補正の内容】
【００１６】
請求項５記載の発明は、請求項２または３記載のＬＥＤ照明装置において、前記調光制御回路は、位相制御された電力が所定値以上となったとき、その所定値を０階調としその０階調を始点として前記電球の光出力特性曲線で定まる調光比率で前記発光ダイオードを調光点灯することを特徴とする。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
請求項６記載の発明は、請求項１ないし５のいずれか一記載のＬＥＤ照明装置と；光源として電球を備えた電球照明装置と；前記ＬＥＤ照明装置と前記電球照明装置とを同じ調光信号で調光点灯する調光操作卓と；を具備したことを特徴とする。
【手続補正１５】
【補正対象書類名】明細書
【補正対象項目名】００２５
【補正方法】変更
【補正の内容】
【００２５】
請求項１、２および３の発明によれば、電球を使用した既存の照明装置にＬＥＤを光源として導入することが可能となる。すなわち、電球に対する調光信号により光源である発光ダイオードを調光制御するので、既存の照明装置を従前の操作感覚で使用できる。また、光源をＬＥＤとしたことに伴い、低階調時の色ずれの防止や発熱低減を図ることができ、さらに長寿命化が図れる。また、請求項１の発明によれば、位相制御されていない通常の交流電源を入力し、調光制御回路で調光制御を行うので調光制御が重複することがない。また、請求項３の発明によれば、切替手段は、位相制御された電力により調光制御する場合と、別の調光信号により調光制御する場合とを切り替えるので、手元操作性が向上する。
【手続補正１６】
【補正対象書類名】明細書
【補正対象項目名】００２６
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】変更
【補正の内容】
【００３１】
請求項６の発明によれば、電球を使用した既存の照明装置とＬＥＤ照明装置とを同一の照明システムにおいて、違和感なく使用できる。
【手続補正２１】
【補正対象書類名】明細書
【補正対象項目名】００３２
【補正方法】変更
【補正の内容】
【００３２】
図１は、本発明の実施の形態に係わるＬＥＤ照明装置の基本構成を示すブロック構成図である。ＬＥＤ光源部１１は複数の発光ダイオードから構成されている。このＬＥＤ光源部１１には、ＬＥＤ光源部１１の発光ダイオードを点灯させるための電力が電源１０から供給される。電源１０は、例えば商用の交流電源である。
【手続補正２２】
【補正対象書類名】明細書
【補正対象項目名】００３４
【補正方法】変更
【補正の内容】
【００３４】
図２は、本発明の実施の形態に係わるＬＥＤ照明装置の一例のブロック構成図である。図１に示した基本構成に対し、電源１０からの交流を位相制御して位相制御された電力を供給する位相制御回路１２と、位相制御回路１２からの電力を入力する場合と直接的に電源１０から電力を入力する場合とを切り替える切替手段２３とが追加して設けられている。
【手続補正２３】
【補正対象書類名】明細書
【補正対象項目名】００５６
【補正方法】変更
【補正の内容】
【００５６】
【図１】本発明の実施の形態に係わるＬＥＤ照明装置の基本構成のブロック構成図。
【図２】本発明の実施の形態に係わるＬＥＤ照明装置の一例のブロック構成図。
【図３】本発明の実施の形態における位相制御回路で位相制御された電力が調光制御回路に入力される場合の調光制御回路の一例のブロック構成図。
【図４】電球の光出力特性曲線及び発光ダイオードの光出力特性曲線の説明図。
【図５】本発明の実施の形態における調光制御回路の動作説明図。
【図６】本発明の実施の形態における位相制御回路で位相制御された電力が調光制御回路に入力される場合の調光制御回路の他の一例を示すブロック構成図。
【図７】本発明の実施の形態における位相制御されていない電源からの電力が調光制御回路に入力される場合の調光制御回路一例を示すブロック構成図。
【図８】本発明の実施の形態における位相制御されていない電源からの電力が調光制御回路に入力される場合の調光制御回路他の一例を示すブロック構成図。